(57)【要約】【課題】上下顎開口状態の保持及び保持解除が容易にできるようにして、歯科技術実習を効率化することを可能にした咬合器を提供する。【解決手段】この咬合器１は、棒状の支持軸体２０を有する支持部材２と、支持軸体２０の軸方向の適宜位置に取り付けられる上顎側連結部材３と、上顎側連結部材３に回動可能に連結される下顎側連結部材４と、上顎側連結部材３に装着される上顎模型５と、下顎側連結部材４に装着される下顎模型６と、を備え、下顎側連結部材４は、所定位置に回動させたときに支持軸体２０に嵌合し係止するストッパ４３を有する。【選択図】図１
2012192166.tif 000002
【特許請求の範囲】
【請求項１】
棒状の支持軸体を有する支持部材と、
支持軸体の軸方向の適宜位置に取り付けられる上顎側連結部材と、
該上顎側連結部材に回動可能に連結される下顎側連結部材と、
前記上顎側連結部材の模型装着部の装着面に当接して装着される上顎模型と、
前記下顎側連結部材の模型装着部の装着面に当接して装着される下顎模型と、
を備え、
前記下顎側連結部材は、貫通した中空部を有して所定位置に回動させたときに前記支持軸体に嵌合し係止するストッパを有することを特徴とする咬合器。
【請求項２】
請求項１に記載の咬合器において、
前記ストッパは、合成樹脂製であることを特徴とする咬合器。
【請求項３】
請求項１又は２に記載の咬合器において、
前記ストッパの中空部は、前記下顎側連結部材の模型装着部の装着面に対して傾いた方向に貫通していることを特徴とする咬合器。
【請求項４】
請求項１〜３のいずれか１項に記載の咬合器において、
前記下顎側連結部材は、前記ストッパの左右の離れた位置に背面側凹みが形成されていることを特徴とする咬合器。
【請求項５】
請求項１〜４のいずれか１項に記載の咬合器において、
前記上顎側連結部材及び前記下顎側連結部材はそれぞれ、その模型装着部に取付孔が２個設けられており、
前記上顎模型は、前記上顎側連結部材の模型装着部の取付孔に対応する位置に２個の雌ねじ部が設けられており、
前記下顎模型は、前記下顎側連結部材の模型装着部の取付孔に対応する位置に２個の雌ねじ部が設けられており、
前記上顎模型は前記上顎側連結部材に、前記下顎模型は前記下顎側連結部材に、それぞれ前記取付孔を通し前記雌ねじ部にねじ込まれる装着用ねじによって装着されることを特徴とする咬合器。
【請求項６】
請求項５に記載の咬合器において、
前記上顎側連結部材は、一方の取付孔に斜め上方又は下方に向かうねじ導入溝が、他方の取付孔に斜め下方又は上方に向かうねじ導入溝が連通して設けられていることを特徴とする咬合器。
【請求項７】
請求項５に記載の咬合器において、
前記上顎側連結部材は、前記２個の取付孔に上下いずれかの同方向に向かうねじ導入溝が連通して設けられていることを特徴とする咬合器。
【請求項８】
請求項６又は７に記載の咬合器において、
前記上顎側連結部材は、前記上顎模型が当接する装着面に２個の凹部が設けられており、
前記上顎模型は、前記上顎側連結部材に当接する装着面に２個の凹部が設けられ、それらの内側に、ずれ阻止体を有していることを特徴とする咬合器。
【請求項９】
請求項５〜８のいずれか１項に記載の咬合器において、
前記下顎側連結部材は、一方の取付孔に斜め上方又は下方に向かうねじ導入溝が、他方の取付孔に斜め下方又は上方に向かうねじ導入溝が連通して設けられていることを特徴とする咬合器。
【請求項１０】
請求項５〜８のいずれか１項に記載の咬合器において、
前記下顎側連結部材は、前記２個の取付孔に上下いずれかの同方向に向かうねじ導入溝が連通して設けられていることを特徴とする咬合器。
【請求項１１】
請求項９又は１０に記載の咬合器において、
前記下顎側連結部材は、前記下顎模型が当接する装着面に２個の凹部が設けられており、
前記下顎模型は、前記下顎側連結部材に当接する装着面に２個の凹部が設けられ、それらの内側に、ずれ阻止体を有していることを特徴とする咬合器。
【請求項１２】
請求項１〜１１のいずれか１項に記載の咬合器において、
前記支持部材は、基台取付部によって基台に取り付けられることを特徴とする咬合器。
【請求項１３】
請求項１〜１１のいずれか１項に記載の咬合器において、
前記支持部材は、基台固定部材によって基台に取り付けられたマネキンヘッドに取り付けられることを特徴とする咬合器。
【請求項１４】
請求項１〜１１のいずれか１項に記載の咬合器において、
前記上顎模型又は上顎側連結部材は、基台固定部材によって基台に取り付けられたマネキンヘッドに取り付けられることを特徴とする咬合器。
【請求項１５】
請求項１〜１１のいずれか１項に記載の咬合器において、
前記下顎模型又は下顎側連結部材は、基台固定部材によって基台に取り付けられることを特徴とする咬合器。
【請求項１６】
請求項１３〜１５のいずれか１項に記載の咬合器において、
前記支持軸体は、その下部が前記下顎側連結部材の方に曲げられていることを特徴とする咬合器。
【発明の詳細な説明】
【技術分野】
【０００１】
本発明は、歯科技術実習などに好適な咬合器に関する。
【背景技術】
【０００２】
従来より、歯科技術実習などのため、それぞれ歯列を有した上下顎模型が近接・離反するように連結部材を介して後側で連結し、しかも上下顎模型が最も近接したときに上下の歯列が咬合する（噛み合わさる）ようにした咬合器が使用されている。この咬合器は種々の形態のものがあり、歯科大学や衛生士学校などにおける歯科技術実習においては、実物の構造及び動きをよく再現した咬合器が用いられている。
【０００３】
歯科技術実習に用いられる従来の咬合器は、引用文献１及び２などに記載されているが、それらの中で特に広く用いられている例を図１５〜図１７に示す。この咬合器１０１は、棒状の支持軸体１２０を有する支持部材１０２と、支持軸体１２０に取り付けられる上顎側連結部材１０３と、上顎側連結部材１０３に回動可能に連結される下顎側連結部材１０４と、上顎側連結部材１０３に装着される上顎模型１０５と、下顎側連結部材１０４に装着される下顎模型１０６と、を基本的構成として備える。
【０００４】
上顎側連結部材１０３と下顎側連結部材１０４との間の連結は、顎関節機能を再現するように以下の構成になっている。上顎側連結部材１０３には、左右対称に外方に延びた回動軸部１３３、１３３が設けられている（図１６参照）。一方、下顎側連結部材１０４には、回動軸部１３３、１３３に当接する軸孔部１４１ａ、１４１ａが設けられている。また、ばね部材１０４Ａ、１０４Ａが、回動軸部１３３、１３３と下顎側連結部材１０４（詳しくは、下顎側連結部材１０４に左右対称に外方に突出するように形成されたばね掛け部１４２、１４２）との間に架け渡されており、ばね部材１０４Ａ、１０４Ａの付勢力により軸孔部１４１ａ、１４１ａは回動軸部１３３、１３３に当接した状態で回動可能になっている。
【０００５】
また、支持軸体１２０には、２個の位置固定部材１０７、１０７’が取り付けられている。外力を加えて下顎側連結部材１０４を回動させ、上下歯列１０５ａ、１０６ａ間の隙間を開けて行くと、下顎側連結部材１０４が支持軸体１２０に接し、そのとき、２個の位置固定部材１０７、１０７’を互いの近接方向に移動して、図１５及び図１６に示すように、下顎側連結部材１０４を挟むことによりその上下顎開口状態を保持することができる。そして、２個の位置固定部材１０７、１０７’を互いの離反方向に移動して上下顎開口状態の保持解除を行い、下顎側連結部材１０４を上記と逆方向に回動させ、図１７に示すように、上下歯列１０５ａ、１０６ａを咬合させ、その噛み合わせ状態を確認することができる。
【０００６】
上顎模型１０５の上顎側連結部材１０３への、及び、下顎模型１０６の下顎側連結部材１０４への最も典型的な装着方法は、上顎側連結部材１０３の一部を構成する模型装着部１３０及び下顎側連結部材１０４の一部を構成する模型装着部１４０に円形の取付孔を形成し、それらに装着用ねじ１３０Ａ、１３０Ｂ、１４０Ａ、１４０Ｂを通過させて上顎模型１０５と上顎側連結部材１０３及び下顎模型１０６と下顎側連結部材１０４を固く装着するものである（図１６参照）。
【先行技術文献】
【特許文献】
【０００７】
【特許文献１】ＵＳ２００８／０２２０４０４Ａ１公報
【特許文献２】特開２０１０−２３１１６７号公報
【発明の概要】
【発明が解決しようとする課題】
【０００８】
ところで、ハンドピースを用いた歯の切削実習などの場合、上顎模型１０５や下顎模型１０６は、切削ごとに噛み合わせ状態を確認したり切削した歯を交換したりする必要がある。そのため、上下顎開口状態の保持及び保持解除が容易にできるようにしたり、歯の交換のために上顎模型１０５又は下顎模型１０６の取り外し及び装着が容易にできるようにしたりすることで、歯科技術実習を効率化することが望まれる。
【０００９】
しかし、上記のように、２個の位置固定部材１０７、１０７’を用いて上下顎開口状態の保持及び保持解除をしたり、単に装着用ねじ１３０Ａ、１３０Ｂ、１４０Ａ、１４０Ｂを用いて上顎模型１０５及び下顎模型１０６の取り外し及び装着を行ったりすると、それらの作業にかなりの時間を要することになる。
【００１０】
本発明は、係る事由に鑑みてなされたものであり、その目的は、上下顎開口状態の保持及び保持解除が容易にできるようにし、また、更に、上顎模型及び下顎模型の取り外し及び装着が容易にできるようにして、歯科技術実習を効率化することを可能にした咬合器を提供することにある。
【課題を解決するための手段】
【００１１】
上記目的を達成するために、請求項１に記載の咬合器は、棒状の支持軸体を有する支持部材と、支持軸体の軸方向の適宜位置に取り付けられる上顎側連結部材と、該上顎側連結部材に回動可能に連結される下顎側連結部材と、前記上顎側連結部材の模型装着部の装着面に当接して装着される上顎模型と、前記下顎側連結部材の模型装着部の装着面に当接して装着される下顎模型と、を備え、前記下顎側連結部材は、貫通した中空部を有して所定位置に回動させたときに前記支持軸体に嵌合し係止するストッパを有することを特徴とする。
【００１２】
請求項２に記載の咬合器は、請求項１に記載の咬合器において、前記ストッパは、合成樹脂製であることを特徴とする。
【００１３】
請求項３に記載の咬合器は、請求項１又は２に記載の咬合器において、前記ストッパの中空部は、前記下顎側連結部材の模型装着部の装着面に対して傾いた方向に貫通していることを特徴とする。
【００１４】
請求項４に記載の咬合器は、請求項１〜３のいずれか１項に記載の咬合器において、前記下顎側連結部材は、前記ストッパの左右の離れた位置に背面側凹みが形成されていることを特徴とする。
【００１５】
請求項５に記載の咬合器は、請求項１〜４のいずれか１項に記載の咬合器において、前記上顎側連結部材及び前記下顎側連結部材はそれぞれ、その模型装着部に取付孔が２個設けられており、前記上顎模型は、前記上顎側連結部材の模型装着部の取付孔に対応する位置に２個の雌ねじ部が設けられており、前記下顎模型は、前記下顎側連結部材の模型装着部の取付孔に対応する位置に２個の雌ねじ部が設けられており、前記上顎模型は前記上顎側連結部材に、前記下顎模型は前記下顎側連結部材に、それぞれ前記取付孔を通し前記雌ねじ部にねじ込まれる装着用ねじによって装着されることを特徴とする。
【００１６】
請求項６に記載の咬合器は、請求項５に記載の咬合器において、前記上顎側連結部材は、一方の取付孔に斜め上方又は下方に向かうねじ導入溝が、他方の取付孔に斜め下方又は上方に向かうねじ導入溝が連通して設けられていることを特徴とする。
【００１７】
請求項７に記載の咬合器は、請求項５に記載の咬合器において、前記上顎側連結部材は、前記２個の取付孔に上下いずれかの同方向に向かうねじ導入溝が連通して設けられていることを特徴とする。
【００１８】
請求項８に記載の咬合器は、請求項６又は７に記載の咬合器において、前記上顎側連結部材は、前記上顎模型が当接する装着面に２個の凹部が設けられており、前記上顎模型は、前記上顎側連結部材に当接する装着面に２個の凹部が設けられ、それらの内側に、ずれ阻止体を有していることを特徴とする。
【００１９】
請求項９に記載の咬合器は、請求項５〜８のいずれか１項に記載の咬合器において、前記下顎側連結部材は、一方の取付孔に斜め上方又は下方に向かうねじ導入溝が、他方の取付孔に斜め下方又は上方に向かうねじ導入溝が連通して設けられていることを特徴とする。
【００２０】
請求項１０に記載の咬合器は、請求項５〜８のいずれか１項に記載の咬合器において、前記下顎側連結部材は、前記２個の取付孔に上下いずれかの同方向に向かうねじ導入溝が連通して設けられていることを特徴とする。
【００２１】
請求項１１に記載の咬合器は、請求項９又は１０に記載の咬合器において、前記下顎側連結部材は、前記下顎模型が当接する装着面に２個の凹部が設けられており、前記下顎模型は、前記下顎側連結部材に当接する装着面に２個の凹部が設けられ、それらの内側に、ずれ阻止体を有していることを特徴とする。
【００２２】
請求項１２に記載の咬合器は、請求項１〜１１のいずれか１項に記載の咬合器において、前記支持部材は、基台取付部によって基台に取り付けられることを特徴とする。
【００２３】
請求項１３に記載の咬合器は、請求項１〜１１のいずれか１項に記載の咬合器において、前記支持部材は、基台固定部材によって基台に取り付けられたマネキンヘッドに取り付けられることを特徴とする。
【００２４】
請求項１４に記載の咬合器は、請求項１〜１１のいずれか１項に記載の咬合器において、前記上顎模型又は上顎側連結部材は、基台固定部材によって基台に取り付けられたマネキンヘッドに取り付けられることを特徴とする。
【００２５】
請求項１５に記載の咬合器は、請求項１〜１１のいずれか１項に記載の咬合器において、前記下顎模型又は下顎側連結部材は、基台固定部材によって基台に取り付けられることを特徴とする。
【００２６】
請求項１６に記載の咬合器は、請求項１３〜１５のいずれか１項に記載の咬合器において、前記支持軸体は、その下部が前記下顎側連結部材の方に曲げられていることを特徴とする。
【発明の効果】
【００２７】
本発明の咬合器によれば、上記のようなストッパを支持軸体に嵌合し係止させることによって上下顎開口状態の保持が容易にでき、また、保持解除も容易にできるので、歯科技術実習を効率化することが可能になる。また、上記のようなねじ導入溝を設けることで、上顎模型及び下顎模型の取り外し及び装着が容易にできるので、更に歯科技術実習を効率化することが可能になる。
【図面の簡単な説明】
【００２８】
【図１】本発明の実施形態に係る咬合器の上下顎開口状態を示す側面図である。
【図２】同上の咬合器の上下顎開口状態を示す背面図である。
【図３】同上の咬合器の上下の歯列が咬合した状態を示す側面図である。
【図４】同上の咬合器の支持部材の例を示す縮小側面図である。
【図５】同上の咬合器の上顎側連結部材を示すものであって、（ａ）が平面図、（ｂ）が底面図である。
【図６】同上の咬合器の上顎模型と上顎側連結部材のそれぞれの装着面近傍を示すものであって、（ａ）が上顎側連結部材の模型装着部の正面図、（ｂ）が上顎模型の背面図である。
【図７】同上の咬合器の下顎側連結部材を示すものであって、（ａ）が平面図、（ｂ）が底面図である。
【図８】同上の咬合器の下顎模型と下顎側連結部材のそれぞれの装着面近傍を示すものであって、（ａ）が下顎側連結部材の正面図、（ｂ）が下顎側連結部材の背面図、（ｃ）が下顎模型の背面図である。
【図９】同上の咬合器のずれ阻止体とその近傍を示す断面図であって、（ａ）が上顎模型の上顎側連結部材への装着のもの、（ｂ）が下顎模型の下顎側連結部材への装着のものである。
【図１０】同上の咬合器の支持部材がマネキンヘッドに取り付けられた例を示す縮小側面図である。
【図１１】図１０の支持部材が曲げられた場合の例を示す縮小側面図である。
【図１２】同上の咬合器の上顎模型がマネキンヘッドに取り付けられた例を示す縮小側面図である。
【図１３】同上の咬合器の下顎模型が基台固定部材によって基台に取り付けられた例を示す縮小側面図である。
【図１４】同上の咬合器のねじ導入溝の変形例を示すものであって、（ａ）が上顎側連結部材の模型装着部の正面図、（ｂ）が下顎側連結部材の正面図である。
【図１５】従来の咬合器の上下顎開口状態を示す側面図である。
【図１６】従来の咬合器の上下顎開口状態を示す背面図である。
【図１７】従来の咬合器の上下の歯列が咬合した状態を示す側面図である。
【発明を実施するための形態】
【００２９】
以下、本発明を実施するための好ましい形態を説明する。本発明の実施形態に係る咬合器１は、図１〜図３に示すように、棒状の支持軸体２０を有する支持部材２と、支持軸体２０の軸方向の適宜位置に取り付けられる上顎側連結部材３と、上顎側連結部材３に回動可能に連結される下顎側連結部材４と、上顎側連結部材３に装着される上顎模型５と、下顎側連結部材４に装着される下顎模型６と、を基本的構成として備える。
【００３０】
支持部材２は、例えば、図４に示すような基台取付部２１によって実習診療台などの基台に取り付けられる。基台取付部２１の構造は限定されるものではない。支持軸体２０は、咬合器１として背面側となる部分が平坦な面としてあり、断面形状は略Ｄ形になっている（図２参照）。なお、支持軸体２０は、頭部の他の部分を再現した模型（マネキンヘッド）も必要に応じて取り付け可能である。
【００３１】
上顎側連結部材３は、図５等に示すように、模型装着部３０と側部３１、３１と支持軸固定部３２と回動軸部３３、３３とを有する。
【００３２】
模型装着部３０は、その装着面３０Ｓに上顎模型５を装着する部分である。この装着面３０Ｓは、上顎模型５の後述の装着面５０Ｓにぴったりと当接するように、凸部をなくして、下記の取付孔３０ａ、３０ｂ近傍と凹部３０ｃ、３０ｄを除いて平坦度が高い平面になっている。
【００３３】
模型装着部３０は、図６（ａ）に示すように、２個の取付孔３０ａ、３０ｂを有している。これらの取付孔３０ａ、３０ｂは、一方の取付孔３０ａに斜め下方に向かうねじ導入溝３０ａａが、他方の取付孔３０ｂに斜め上方に向かうねじ導入溝３０ｂａが連通して設けられている。これらねじ導入溝３０ａａ、３０ｂａは、上顎模型５を後述するようにして取付孔３０ａ、３０ｂにてねじ固定する際、上顎模型５にその装着用ねじ３０Ａ、３０Ｂを仮螺合とした状態で、上顎模型５を回転させたときに装着用ねじ３０Ａ、３０Ｂが移動し得るようになっている。従って、ねじ導入溝３０ａａ、３０ｂａは、これらの中心から等距離寸法を半径とする円の円弧部分とするのが好ましい。ねじ導入溝３０ａａが斜め上方に、ねじ導入溝３０ｂａが斜め下方にそれぞれ向かうものであっても構わない。
【００３４】
模型装着部３０は、また、図６（ａ）に示すように、装着面３０Ｓに２個の凹部３０ｃ、３０ｄが設けてある。
【００３５】
上顎側連結部材３の側部３１、３１は、図５等に示すように、模型装着部３０と支持軸固定部３２を左右から連接する部分である。支持軸固定部３２は、支持軸体２０に取り付けるための部分であり、支持軸体２０が挿通する支持軸孔３２ａと、この支持軸孔３２ａに直交して螺合させている支持軸固定用ねじ部材３２Ａと、を有する。また、模型装着部３０における装着用ねじ３０Ａ、３０Ｂのドライバーによるねじ込み作業を容易にするため、支持軸固定部３２の装着用ねじ３０Ａ、３０Ｂと背面視で重なる部分を切り欠いておくのが好ましい（図２参照）。回動軸部３３、３３は、下顎側連結部材４を連結し、下顎側連結部材４の回動のための軸となる部分であり、支持軸孔３２ａ及び支持軸固定用ねじ部材３２Ａに直交方向であって支持軸固定部３２の左右に突設されている。この回動軸部３３はその軸方向の中間付近が僅かに小径になっている。
【００３６】
下顎側連結部材４は、図７等に示すように、模型装着部４０と回動側部４１、４１とストッパ４３とを有する。
【００３７】
模型装着部４０は、その装着面４０Ｓに下顎模型６を装着する部分である。この装着面４０Ｓは、下顎模型６の後述の装着面６０Ｓにぴったりと当接するように、凸部をなくして、下記の取付孔４０ａ、４０ｂ近傍と凹部４０ｃ、４０ｄを除いて平坦度が高い平面になっている。
【００３８】
模型装着部４０は、図８（ａ）、（ｂ）に示すように、２個の取付孔４０ａ、４０ｂを有している。これらの取付孔４０ａ、４０ｂは、一方の取付孔４０ａに斜め上方に向かうねじ導入溝４０ａａが、他方の取付孔４０ｂに斜め下方に向かうねじ導入溝４０ｂａが連通して設けられている。これらねじ導入溝４０ａａ、４０ｂａは、下顎模型６を後述するように取付孔４０ａ、４０ｂにてねじ固定する際、下顎模型６にその装着用ねじ４０Ａ、４０Ｂを仮螺合とした状態で、下顎模型６を回転させたときに装着用ねじ４０Ａ、４０Ｂが移動し得るようになっている。従って、ねじ導入溝４０ａａ、４０ｂａは、これらの中心から等距離寸法を半径とする円の円弧部分とするのが好ましい。ねじ導入溝４０ａａが斜め下方に、ねじ導入溝４０ｂａが斜め上方にそれぞれ向かうものであっても構わない。
【００３９】
模型装着部４０は、また、図８（ａ）に示すように、装着面４０Ｓに２個の凹部４０ｃ、４０ｄが設けてある。
【００４０】
下顎側連結部材４の回動側部４１、４１は、模型装着部４０との左右の連接部から緩やかに角度を変えて、概ね直角に近い角度を変えて上顎側連結部材３の回動軸部３３、３３に向かって延びている（図１及び図３参照）。この回動側部４１、４１の先端部近傍に、上顎側連結部材３の回動軸部３３、３３に回動可能に接触する軸孔部４１ａ、４１ａを有している（図１及び図３参照）。この軸孔部４１ａ、４１ａは、一部が開放された略半円状をなしている。また、コイル状のばね部材４Ａ、４Ａが回動側部４１、４１の中間付近に突設したばね掛け部４２と回動軸部３３の小径部間に架け渡されており、これによって軸孔部４１ａ、４１ａが回動軸部３３、３３に回動可能に接触する状態が維持されている。また、回動側部４１、４１は、後述のように支持軸体２０からストッパ４３を外して保持解除するときに、指でもって力を加え易いように、そのストッパ４３の左右の離れた位置（側面視において重なり合う位置）に背面側凹み４１ｂ、４１ｂが形成されているのが好ましい（図１及び図３参照）。
【００４１】
ストッパ４３は、下顎側連結部材４を支持軸体２０に係止するものであり、図７（ａ）、（ｂ）に示すように、貫通した中空部４３ａａを有し、その中空部４３ａａの側壁の一部（例えば、約１／４周程度）が切り欠かれている嵌合係止部４３ａと、その切り欠きの両側から若干拡がりながら外方に延出している軸体導入部４３ｂと、模型装着部４０の左右方向の中央部分に固定される固定部４３ｃと、を有している。支持軸体２０の直径に対し、中空部４３ａａの直径は同じか若干小さく、また、支持軸体２０の直径に対し、中空部４３ａａの側壁の切り欠き幅は小さくしてある。中空部４３ａａの貫通方向は、後述のように上下顎開口状態としてストッパ４３が支持軸体２０に嵌合し係止されるときに、支持軸体２０の軸方向に略一致する方向（図１参照）、すなわち、模型装着部４０の装着面４０Ｓに対して傾いた方向（例えば、傾斜角度θが約２５度）である（図１参照）。このストッパ４３は、支持軸体２が軸体導入部４３ｂを押し広げ、嵌合係止部４３ａに嵌合し係止されるものとするために、また、ハンドピースを用いた歯の切削実習などに耐え得るために、適度の弾性を有し高耐久性が可能である合成樹脂製（例えば、ポリアセタール樹脂製など）とするのが好ましい。なお、ストッパ４３の固定部４３ｃは、固定用ねじによって固定され、固定し易いように模型装着部４０のその部分には突設部分４０ｅが設けられている。
【００４２】
上顎模型５は、図１及び図３に示すように、上側歯列５ａを下方に設け、上顎側連結部材３の模型装着部３０の装着面３０Ｓに当接する歯の植設方向と同じ方向の端面である装着面５０Ｓを有する。この装着面５０Ｓは、上顎側連結部材３の装着面３０Ｓにぴったりと接するように、凸部をなくして、下記の雌ねじ部５０ａ、５０ｂと凹部５０ｃ、５０ｄを除いて平坦度が高い平面になっている。装着面５０Ｓには、図６（ｂ）に示すように、上顎側連結部材３の取付孔３０ａ、３０ｂに対応する位置に、２個の雌ねじ部５０ａ、５０ｂが設けてある。従って、取付孔３０ａ、３０ｂに装着用ねじ３０Ａ、３０Ｂを通し、その装着用ねじ３０Ａ、３０Ｂを雌ねじ部５０ａ、５０ｂにねじ込むことにより、上顎模型５は上顎側連結部材３に装着される。
【００４３】
上顎模型５は、装着面５０Ｓに２個の凹部５０ｃ、５０ｄが設けてあり、これらの凹部５０ｃ、５０ｄの内側に、ずれ阻止体５０Ｃ、５０Ｄを有している。凹部５０ｃ、５０ｄは、上顎側連結部材３の前述の凹部３０ｃ、３０ｄと大きさを等しくしており、また、ずれ阻止体５０Ｃ、５０Ｄは、装着面５０Ｓよりも隆起させている（図９（ａ）参照）。具体的には、ずれ阻止体５０Ｃ、５０Ｄは、取り扱いやすさの点から、凹部５０ｃ、５０ｄに注入されて硬化した合成樹脂が好適である。すでに硬化している合成樹脂や天然樹脂或いは金属などをずれ阻止体５０Ｃ、５０Ｄとして嵌め込むことも、場合によっては可能である。これらのずれ阻止体５０Ｃ、５０Ｄは、上顎模型５が上顎側連結部材３に装着されたとき、図９（ａ）  に示すように、上顎側連結部材３の前述の凹部３０ｃ、３０ｄに嵌り込んで位置ずれを阻止する。
【００４４】
下型模型６は、図１及び図３に示すように、下側歯列６ａを上方に設け、下顎側連結部材４の模型装着部４０の装着面４０Ｓに当接する歯の植設方向と同じ方向の端面である装着面６０Ｓを有する。この装着面６０Ｓは、下顎側連結部材４の装着面４０Ｓにぴったりと接するように、凸部をなくして、下記の雌ねじ部６０ａ、６０ｂと凹部６０ｃ、６０ｄを除いて平坦度が高い平面になっている。装着面６０Ｓには、図８（ｃ）に示すように、下顎側連結部材４の取付孔４０ａ、４０ｂに対応する位置に、２個の雌ねじ部６０ａ、６０ｂが設けてある。従って、取付孔４０ａ、４０ｂに装着用ねじ４０Ａ、４０Ｂを通し、その装着用ねじ４０Ａ、４０Ｂを雌ねじ部６０ａ、６０ｂにねじ込むことにより、下顎模型６は下顎側連結部材４に装着される。
【００４５】
下顎模型６は、装着面６０Ｓに２個の凹部６０ｃ、６０ｄが設けてあり、これらの凹部６０ｃ、６０ｄの内側に、ずれ阻止体６０Ｃ、６０Ｄを有している。凹部６０ｃ、６０ｄは、下顎側連結部材４の前述の凹部４０ｃ、４０ｄと大きさを等しくしており、また、ずれ阻止体６０Ｃ、６０Ｄは、装着面６０Ｓよりも隆起させている（図９（ｂ）参照）。具体的には、ずれ阻止体６０Ｃ、６０Ｄは、取り扱いやすさの点から、凹部６０ｃ、６０ｄに注入されて硬化した合成樹脂が好適である。すでに硬化している合成樹脂や天然樹脂或いは金属などをずれ阻止体６０Ｃ、６０Ｄとして嵌め込むことも、場合によっては可能である。これらのずれ阻止体６０Ｃ、６０Ｄは、下顎模型６が下顎側連結部材４に装着されたとき、図９（ｂ）に示すように、下顎側連結部材４の前述の凹部４０ｃ、４０ｄに嵌り込んで位置ずれを阻止する。
【００４６】
以上説明した咬合器１は以下のようにして使用することができる。先ず、支持部材２を基台に取り付ける。そして、支持軸体２０を上顎側連結部材３の支持軸孔３２ａに挿通させ、上顎側連結部材３及び下顎側連結部材４を支持軸体２０の軸方向の適宜位置において、支持軸固定用ねじ部材３２Ａを締め付けて取り付ける。なお、上顎側連結部材３と下顎側連結部材４は、通常、ばね部材４Ａによって連結されてすでに組み立てられている状態でもって取り扱われる。また、上顎模型５及び下顎模型６は、上顎側連結部材３及び下顎側連結部材４を支持軸体２０に取り付ける前であっても後であっても装着可能である。
【００４７】
上顎模型５の装着手順は以下の通りである。先ず、装着用ねじ３０Ａ、３０Ｂを上顎模型５の雌ねじ部５０ａ、５０ｂに、最終締付け位置より少し手前の位置まで螺合（仮螺合）させる。この状態では、上顎模型５の装着面５０Ｓと装着用ねじ３０Ａ、３０Ｂのねじ頭部までの間隔は、上顎側連結部材３の模型装着部３０の厚みより大きくなっている。この状態で、装着用ねじ３０Ａ、３０Ｂをねじ導入溝３０ａａ、３０ｂａに嵌め入れ、装着用ねじ３０Ａ、３０Ｂが取付孔３０ａ、３０ｂに至るまで上顎模型５を回動させた後に、装着用ねじ３０Ａ、３０Ｂを十分に締め付ける。
【００４８】
下顎模型６の装着手順は以下の通りである。先ず、装着用ねじ４０Ａ、４０Ｂを下顎模型６の雌ねじ部６０ａ、６０ｂに、最終締付け位置より少し手前の位置まで螺合（仮螺合）させる。この状態では、下顎模型６の装着面６０Ｓと装着用ねじ４０Ａ、４０Ｂのねじ頭部までの間隔は、下顎側連結部材４の模型装着部４０の厚みより大きくなっている。この状態で、装着用ねじ４０Ａ、４０Ｂをねじ導入溝４０ａａ、４０ｂａに嵌め入れ、装着用ねじ４０Ａ、４０Ｂが取付孔４０ａ、４０ｂに至るまで下顎模型６を回動させた後に、装着用ねじ４０Ａ、４０Ｂを十分に締め付ける。
【００４９】
次に、咬合器１を上下顎開口状態にする手順を説明する。上顎側連結部材３及び下顎側連結部材４が支持軸体２０に取り付けられただけの状態では、下顎側連結部材４は所定の範囲（例えば、約２０度ないし３０度）で自由に回動可能であり、下顎側連結部材４（及び下顎模型６）自体の重みや少しの外力により、上下歯列５ａ、６ａ間に隙間ができた状態や上下歯列５ａ、６ａが触れた状態になる。そして、外力を加えて下顎側連結部材４を回動させ、上下歯列５ａ、６ａ間の隙間を開けて行くと、所定位置の手前でストッパ４３の軸体導入部４３ｂが支持軸体２０に当接する。そこで、やや強く回動させると、支持軸体２０が軸体導入部４３ｂを押し広げ、クリック感を得て嵌合係止部４３ａの中空部４３ａａに嵌合し係止されて所定位置に至る。こうして、上下顎開口状態を保持することができ、ハンドピースを用いた歯の切削実習などが可能となる。
【００５０】
次に、切削実習などの後、歯の噛み合わせ状態の確認のために、下顎側連結部材４を嵌合し係止したときと逆方向にやや強く回動させると、支持軸体２０が軸体導入部４３ｂを押し広げ、支持軸体２０から嵌合係止部４３ａが外れて保持解除がなされる。そして、更に下顎側連結部材４を回動させて上下歯列５ａ、６ａを咬合させ、その噛み合わせ状態を確認することができる。
【００５１】
上顎模型５を交換するときは、装着用ねじ３０Ａ、３０Ｂを緩め、上顎模型５を装着したときと反対方向に回動させて、上顎模型５を取り外す。そして、新しい上顎模型５を上記と同様にして装着する。下顎模型６を交換するときは、装着用ねじ４０Ａ、４０Ｂを緩め、下顎模型６を装着したときと反対方向に回動させて、下顎模型６を取り外す。そして、新しい下顎模型６を上記と同様にして装着する。
【００５２】
このように、下顎側連結部材４に設けられたストッパ４３を支持軸体２０に嵌合し係止させることによって上下顎開口状態の保持が容易にでき、また、保持解除も容易にできる。また、支持軸体２０と上顎側連結部材３と下顎側連結部材４をそのままにして、上顎模型５及び下顎模型６の取り外し及び装着が容易にできる。その結果、この咬合器１は、歯科技術実習の正味を時間を増加させ、歯科技術実習を効率化することができる。
【００５３】
また、装着用ねじ３０Ａ、３０Ｂを上顎模型５に、装着用ねじ４０Ａ、４０Ｂを下顎模型６に付けた状態で作業できるので、装着用ねじ３０Ａ、３０Ｂ及び装着用ねじ４０Ａ、４０Ｂが紛失することがない。また、一方の取付孔３０ａに連続するねじ導入溝３０ａａと、他方の取付孔３０ｂに連続するねじ導入溝３０ｂａと、が互いに上下方向が逆方向に向かって設けられ、一方の取付孔４０ａに連続するねじ導入溝４０ａａと、他方の取付孔４０ｂに連続するねじ導入溝４０ｂａと、が互いに上下方向が逆方向に向かって設けられているので、上記のようにして装着することによって上顎模型５及び下顎模型６の上顎側連結部材３及び下顎側連結部材４に対する位置を適正に合わせて装着することが容易にできる。
【００５４】
また、ずれ阻止体５０Ｃ、５０Ｄ及びずれ阻止体６０Ｃ、６０Ｄは、ハンドピースを用いた歯の切削実習などで上顎模型５及び下顎模型６に加わる外力を吸収して、上顎模型５及び下顎模型６の上顎側連結部材３及び下顎側連結部材４に対する位置ずれを阻止できる。また、装着時に、ずれ阻止体５０Ｃ、５０Ｄ及びずれ阻止体６０Ｃ、６０Ｄが凹部３０ｃ、３０ｄ及び凹部４０ｃ、４０ｄに嵌め込まれていることを確認することで、上顎模型５及び下顎模型６の上顎側連結部材３及び下顎側連結部材４に対する位置合わせを更に確実にすることができる。
【００５５】
次に、支持部材２が実習診療台などの基台に直接には取り付けられていない例について説明する。この場合、支持部材２の下端は、基台から離隔している。
【００５６】
支持部材２は、図１０に示すような基台固定部材１１によって基台に取り付けられたマネキンヘッド１０に取り付けることが可能である。この場合、支持軸体２０は、直線的に伸びるものに限らず、例えば、図１１に示すように、支持軸体２０の下部を下顎模型６の方に曲げることができる。そうすると、その支持軸体２０にストッパ４３が嵌合し係止されることにより、上下歯列５ａ、６ａ間の隙間が大きくない上下顎開口状態を保持することができ、高齢者等の余り口を大きく開けることができない人の場合の切削実習などが可能になる。
【００５７】
また、基台固定部材１１によって基台に取り付けられたマネキンヘッド１０に、図１２に示すように、上顎側固定具１２によって上顎模型５を直接に取り付けることが可能である。このとき、支持部材２は、マネキンヘッド１０に直接には取り付けられておらず、離隔した状態である。支持軸体２０は、上述したように下部を下顎模型６の方に曲げることもできる。また、上顎模型５のかわりに上顎側連結部材３を、上顎側固定具１２によってマネキンヘッド１０に取り付けることも可能である。
【００５８】
また、場合によっては、図１３に示すように、下顎模型６を基台固定部材１１によって基台に取り付けることも可能である。下顎模型６のかわりに下顎側連結部材４を基台固定部材１１によって基台に取り付けることも可能である。支持軸体２０は、上述したように下部を下顎模型６の方に曲げることもできる。マネキンヘッド１０は、支持部材２に取り付けたり、上述した上顎側固定具１２によって上顎模型５や上顎側連結部材３に取り付けたりすることも可能である。
【００５９】
以上、本発明の実施形態に係る咬合器について説明したが、本発明は、実施形態に記載したものに限られることなく、特許請求の範囲に記載した事項の範囲内でのさまざまな設計変更が可能である。例えば、咬合器が上記のようなストッパ４３と上記のような模型装着部３０、４０とを有していることが歯科技術実習の効率化には非常に好ましいのであるが、どちらか一方を従来の方法のものに置き換えることも場合によっては可能である。
【００６０】
また、上顎側連結部材３の模型装着部３０の取付孔３０ａ、３０ｂに連通するねじ導入溝３０ａａ、３０ｂａ及び下顎側連結部材４の模型装着部４０の取付孔４０ａ、４０ｂに連通するねじ導入溝４０ａａ、４０ｂａを変形することも可能である。すなわち、図１４（ａ）に示すように、ねじ導入溝３０ａａ、３０ｂａを取付孔３０ａ、３０ｂから上下いずれかの同方向（通常は下方）に向かうようにし、図１４（ｂ）に示すように、ねじ導入溝４０ａａ、４０ｂａを取付孔４０ａ、４０ｂから上下いずれかの同方向（通常は上方）に向かうようにすることができる。この場合、上顎模型５のずれ阻止体５０Ｃ、５０Ｄを上顎側連結部材３の凹部３０ｃ、３０ｄに嵌め込んでから、装着用ねじ３０Ａ、３０Ｂを締め付け、下顎模型６のずれ阻止体６０Ｃ、６０Ｄを下顎側連結部材４の凹部４０ｃ、４０ｄに嵌め込んでから、装着用ねじ４０Ａ、４０Ｂを締め付ければ、上顎模型５及び下顎模型６の上顎側連結部材３及び下顎側連結部材４に対する位置を適正に合わせることができる。
【００６１】
また、場合によっては、上顎側連結部材３と下顎側連結部材４の一方だけを上記した取付孔周辺の構成にして、上顎模型５と下顎模型６の一方だけの装着及び取り外しを上記した方法で行うことも可能である。すなわち、下顎側連結部材４の取付孔４０ａ、４０ｂ周辺の構成がどのようなものでも、上顎側連結部材３を、一方の取付孔３０ａに斜め上方又は下方に向かうねじ導入溝３０ａａが、他方の取付孔３０ｂに斜め下方又は上方に向かうねじ導入溝３０ｂａが連通して設けられているように（図６（ａ）により説明した上記構成に）したり、取付孔３０ａ、３０ｂに上下いずれかの同方向に向かうねじ導入溝３０ａａ、３０ｂａが連通して設けられているように（図１４（ａ）により説明した上記構成に）したりすることが可能である。この場合、下顎側連結部材４の取付孔４０ａ、４０ｂは、ねじ導入溝４０ａａ、４０ｂａが設けられていない従来の構成であってもよい。また、上顎側連結部材３の取付孔３０ａ、３０ｂ周辺の構成がどのようなものでも、下顎側連結部材４を、一方の取付孔４０ａに斜め上方又は下方に向かうねじ導入溝４０ａａが、他方の取付孔４０ｂに斜め下方又は上方に向かうねじ導入溝４０ｂａが連通して設けられているように（図８（ａ）、（ｂ）により説明した上記構成に）したり、取付孔４０ａ、４０ｂに上下いずれかの同方向に向かうねじ導入溝４０ａａ、４０ｂａが連通して設けられているように（図１４（ｂ）により説明した上記構成に）したりすることが可能である。この場合、上顎側連結部材３の取付孔３０ａ、３０ｂは、ねじ導入溝３０ａａ、３０ｂａが設けられていない従来の構成であってもよい。
【符号の説明】
【００６２】
１  咬合器
２  支持軸体
３  上顎側連結部材
３０  上顎側連結部材の模型装着部
３０ａ、３０ｂ  模型装着部の取付孔
３０ａａ、３０ｂａ  ねじ導入溝
３０Ａ、３０Ｂ  装着用ねじ
３２  上顎側連結部材の支持軸固定部
３２ａ  支持軸固定部の支持軸孔
３２Ａ  上顎側連結部材の支持軸固定用ねじ部材
３３  上顎側連結部材の回動軸部
４  下顎側連結部材
４０  下顎側連結部材の模型装着部
４０ａ、４０ｂ  模型装着部の取付孔
４０ａａ、４０ｂａ  ねじ導入溝
４０Ａ、４０Ｂ  装着用ねじ
４１  下顎側連結部材の回動側部
４１ａ  回動側部の軸孔部
４１ｂ  背面側凹み
４３  ストッパ
４Ａ  ばね部材
５  上顎模型
５０ａ、５０ｂ  上顎模型の雌ねじ部
５０ｃ、５０ｄ  上顎模型の凹部
５０Ｃ、５０Ｄ  上顎模型のずれ阻止体
６  下顎模型
６０ａ、６０ｂ  下顎模型の雌ねじ部
６０ｃ、６０ｄ  下顎模型の凹部
６０Ｃ、６０Ｄ  下顎模型のずれ阻止体
【図１】
2012192166.tif 000003
【図２】
2012192166.tif 000004
【図３】
2012192166.tif 000005
【図４】
2012192166.tif 000006
【図５】
2012192166.tif 000007
【図６】
2012192166.tif 000008
【図７】
2012192166.tif 000009
【図８】
2012192166.tif 000010
【図９】
2012192166.tif 000011
【図１０】
2012192166.tif 000012
【図１１】
2012192166.tif 000013
【図１２】
2012192166.tif 000014
【図１３】
2012192166.tif 000015
【図１４】
2012192166.tif 000016
【図１５】
2012192166.tif 000017
【図１６】
2012192166.tif 000018
【図１７】
2012192166.tif 000019